【手続補正書】
【提出日】平成19年8月30日(2007.8.30)
【手続補正１】
【補正対象書類名】明細書
【補正対象項目名】特許請求の範囲
【補正方法】変更
【補正の内容】
【特許請求の範囲】
【請求項１】
以下の工程を含む方法に用いられる、哺乳動物対象における標的組織または標的細胞に光力学治療を行うための光増感剤化合物を含む組成物:
(a)特徴的光吸収周波帯を有する標的化すべき光増感剤化合物の治療有効量を対象に投与する工程、ここで標的化すべき光増感剤化合物は、非標的組織と比較したときに標的組織または標的細胞に優先的に結合する;
(b)標的組織または標的細胞に特異的に結合しなかった光増感剤化合物を、健康非標的組織から排除されるのに十分な時間を経過させる工程;および、
(c)標的化すべき光増感剤化合物が優先的に結合する標的組織または標的細胞が配置している哺乳動物対象の少なくとも一部を、間質透光により標的化すべき光増感剤化合物の特徴的光吸収周波帯の少なくとも一部と対応する周波帯を有する光で照射する工程;
ここで、間質透光により照射する工程に用いられる光の強度および照射の持続時間は、標的組織または標的細胞が破壊され、光が通過した非標的組織が変化しないように、光増感剤化合物を活性化するのに十分な光の総フルエンスが生じるように選択する。
【請求項２】
照射工程に使用する光の強度が500 mW/cm2 以下であり、 光の総フルエンス が30 ジュール以上である、請求項1の組成物。
【請求項３】
照射工程が少なくとも 2 時間行われる、請求項2の組成物。
【請求項４】
以下の工程を含む方法に用いられる、哺乳動物対象における瀰漫性疾患の治療のための光増感剤化合物を含む組成物：
(a)特徴的光吸収周波帯を有する標的化すべき光増感剤化合物の治療有効量を対象に投与する工程、ここで標的化すべき光増感剤化合物は標的組織または標的細胞に選択的に結合し、標的組織または標的細胞は健康非標的組織内に散在している;
(b)標的組織または標的細胞に特異的に結合しなかった光増感剤化合物を、健康非標的組織から排除されるのに十分な時間を経過させる工程; および、
(c)光増感剤化合物が特異的に結合する標的組織または標的細胞が配置している哺乳動物対象の少なくとも一部を、間質透光により、光増感剤化合物の特徴的光吸収周波帯の少なくとも一部と対応する周波帯を有する光で照射する工程;
ここで、照射する工程に用いられる光の強度および照射の持続時間は、標的組織または標的細胞が破壊され、健康非標的組織が変化しないように、光増感剤化合物を活性化するのに十分な光の総フルエンスが生じるように選択する。
【請求項５】
標的組織または標的細胞が以下からなる群から選択される請求項1または4の組成物: 血管内皮組織; 腫瘍の異常血管壁; 固形腫瘍; 頭の腫瘍; 首の腫瘍; 胃腸管の腫瘍; 肝臓の腫瘍; 乳房の腫瘍; 前立腺の腫瘍; 肺の腫瘍; 非固形腫瘍; 造血性組織またはリンパ組織のいずれかの悪性細胞; および疾患性骨髄。
【請求項６】
照射工程が、哺乳動物対象のインタクトな皮膚層の内部に配置された光源を提供する工程を含み、光源が活性化されて光を生じる、請求項4の組成物。
【請求項７】
照射工程が、哺乳動物対象のインタクトな皮膚層の外部に配置された光源を提供する工程を含み、光源が哺乳動物対象のインタクトな皮膚層の内部に配置される光源からの光を処置部分に送達するための光ファイバーを含み、光源が活性化されて光を生じる、請求項4の組成物。
【請求項８】
光増感剤化合物がリガンドにコンジュゲートしている請求項1または4の組成物。
【請求項９】
リガンドが標的組織または標的細胞と特異的に結合する抗体または抗体フラグメントのいずれかである、請求項8の組成物。
【請求項１０】
リガンドが、標的組織または標的細胞と特異的に結合するペプチドである、請求項8の組成物。
【請求項１１】
リガンドが、標的組織または標的細胞と特異的に結合するポリマーである、請求項8の組成物。
【請求項１２】
光増感剤化合物が、インドシアニングリーン、メチレンブルー、トルイジンブルー、アミノレブリン酸、クロリン類、フタロシアニン類、ポルフィリン類、プルプリン類、およびテクサフィリン類からなる群より選択される、請求項1または4の組成物。 
【請求項１３】
照射工程が2 時間から72 時間の時間間隔で実施される、請求項1または4の組成物。 
【請求項１４】
照射工程が2 時間から48 時間の時間間隔で実施される、請求項1または4の組成物。 
【請求項１５】
照射工程が2 時間から24 時間の時間間隔で実施される、請求項1または4の組成物。 
【請求項１６】
照射に使用される光の総フルエンスが、50 ジュールから25,000 ジュールである、請求項1または4の組成物。 
【請求項１７】
照射に使用される光の総フルエンスが、100 ジュールから20,000ジュールである、請求項1または4の組成物。 
【請求項１８】
照射に使用される光の総フルエンスが、500ジュールから10,000ジュールである、請求項1または4の組成物。 
【請求項１９】
経過させる十分な時間が2 時間から96 時間である、請求項1または4の組成物。 
【請求項２０】
光増感剤化合物がテクサフィリン類およびクロロフィル類からなる群より選択される、請求項1または4の組成物。 
【請求項２１】
光増感剤化合物が、テキサフィリンまたはルテチウムテキサフィリンである、請求項20の組成物。
【請求項２２】
光増感剤化合物が、バクテリオクロロフィルである、請求項20の組成物。
【請求項２３】
光増感剤化合物がクロリンである請求項1または4の組成物。 
【請求項２４】
照射に用いる光が、発光ダイオード (LED) アレイ、レーザーダイオード アレイまたはエレクトロルミネセント素子からのものである請求項1または4の組成物。
【請求項２５】
照射に用いる光の総フルエンスが30 ジュールから25,000 ジュールである請求項1または4の組成物。
【請求項２６】
光増感剤化合物が光増感剤化合物送達システムまたはプロドラッグの形態である請求項1または4の組成物。
【請求項２７】
標的組織または標的細胞が、ウイルス含有細胞; 寄生虫含有細胞; 過増殖細胞; 細菌; ウイルス; 真菌; 寄生虫;および感染病原体からなる群から選択される請求項1の組成物。
【請求項２８】
標的組織または標的細胞が、転移した腫瘍細胞; 免疫細胞;および病原体により感染した細胞または組織からなる群から選択される請求項4の組成物。
【請求項２９】
標的組織または標的細胞が、造血組織の悪性細胞、リンパ組織の悪性細胞および疾患骨髄からなる群から選択される請求項4の組成物。
【請求項３０】
標的組織または標的細胞が、ウイルス含有細胞; 寄生虫含有細胞; 過増殖細胞; 細菌; ウイルス; 真菌; 寄生虫;および感染病原体からなる群から選択される請求項4の組成物。
【請求項３１】
リガンドが、腫瘍表面抗原、腫瘍内皮抗原、非腫瘍内皮抗原、腫瘍血管壁抗原および白血病細胞に提示される抗原からなる群から選択される抗原に特異的に結合する請求項18の組成物。
【請求項３２】
照射が、5-100 mW/cm2 の強度を有する光と30 ジュールから25,000 ジュールの範囲の光の総フルエンスを生じることが出来る少なくとも 2 時間の照射の持続との組合せを含む、請求項1の組成物。
【請求項３３】
照射が、5-100 mW/cm2の強度を有する光と30 ジュールから25,000 ジュールの範囲の光の総フルエンスを生じることが出来る少なくとも 2 時間の照射の持続との組合せを含む、請求項4の組成物。
【請求項３４】
標的組織または標的細胞の広範な壊死が導かれる、請求項1の組成物。
【請求項３５】
さらに周径が3 cm以上の壊死標的組織領域を生じさせる工程を含む方法に用いられる請求項1の組成物。
【請求項３６】
さらに半径が1 cm以上の壊死標的組織領域を生じさせる工程を含む方法に用いられる請求項1の組成物。
【請求項３７】
さらに光源プローブの周囲5 cm以上にて壊死標的組織領域を生じさせる工程を含む方法に用いられる請求項1の組成物。
【請求項３８】
さらに光源プローブの位置から半径2 cm以上の壊死標的組織領域を生じさせる工程を含む方法に用いられる請求項34の組成物。